(57)【特許請求の範囲】
【請求項１】
施工後のパイプに外被されないように、パイプの背面側の外周面から外方に向けて突設された取付部を、２枚の挟着片にて挟着固定すると共に、壁面等に固定された固定具の支持片に取付けされる取付板を前記挟着片の一方より延設してパイプ取付具を構成し、
前記取付板を設けた一方の挟着片を、固定された固定挟着片とし、他方の挟着片を、前記固定挟着片に向けて枢動可能な可動挟着片とし、前記可動挟着片を操作体により可動させて前記取付部を２枚の挟着片にて挟着固定すると共に、前記パイプ取付具の取付板を前記固定具の支持片に締結具にて取付けてなり、
前記固定挟着片及び可動挟着片の各基端には、後方に向けて互いに狭まり、外面が鋸歯状に形成された傾斜面を形成しており、
前記操作体は、前記固定挟着片側に外嵌され、前記可動挟着片を挿嵌させてから前記挟着片の先端側にスライドさせることで、前記可動挟着片を前記固定挟着片に対して把持位置に固定する操作環よりなることを特徴とするパイプ取付構造。
【請求項２】
施工後のパイプに外被されないように、パイプの背面側の外周面から外方に向けて突設された取付部を、２枚の挟着片にて挟着固定すると共に、前記挟着片の一方には、壁面等に固定される固定具の支持片を一体形成してパイプ取付具を構成し、
前記固定具の支持片に設けた一方の挟着片を、固定された固定挟着片とし、他方の挟着片を、前記固定挟着片に向けて枢動可能な可動挟着片とし、前記可動挟着片を操作体により可動させて前記取付部を２枚の挟着片にて挟着固定すると共に、前記固定具を壁面等に固定してなり、
前記固定挟着片及び可動挟着片の各基端には、後方に向けて互いに狭まり、外面が鋸歯状に形成された傾斜面を形成しており、
前記操作体は、前記固定挟着片側に外嵌され、前記可動挟着片を挿嵌させてから前記挟着片の先端側にスライドさせることで、前記可動挟着片を前記固定挟着片に対して把持位置に固定する操作環よりなることを特徴とするパイプ取付構造。
【発明の詳細な説明】
【技術分野】
【０００１】
本発明は、パイプの外周面から外方に向けて突設された取付部を、壁面等に固定された固定具に取付けるパイプ取付構造に関する。
【背景技術】
【０００２】
従来、竪樋等のパイプを壁面等に取付けるためのパイプ取付構造として、前記パイプを環状のリング体で包持すると共に、このリング体の基端を壁面等に固定金具で固定するものが一般に知られている。
【０００３】
ところが、このようなパイプ取付構造では、施工後のパイプの適所に、前記リング体が点在して外被されてしまうため、住宅のデザイン性を損なうという問題があった。
【０００４】
そこで、このような住宅のデザイン性を確保するため、近年では、施工後のパイプに前記リング体が外被されないように、パイプの背面側の外周面から外方に向けて突設された取付部を長手方向に形成すると共に、前記取付部を弾発的に挟持する挟着片を先端に備えた取付具の基端を、壁面等に固定してなるパイプ取付構造が開発されている（例えば、特許文献１参照。）。
【０００５】
このパイプ取付構造によれば、取付具の基端を壁面等に固定すると共に、この取付具の先端に設けた挟着片を、パイプの背面側に突設した取付部に弾発的に挟持することによって、施工後のパイプの正面側に取付具が見えることがなく、パイプをスッキリとした感じに仕上げて施工することができる。
【特許文献１】特開２０００−３４８１０
【発明の開示】
【発明が解決しようとする課題】
【０００６】
しかしながら、このパイプ取付構造では、施工後のパイプをスッキリとした感じに仕上げることができる点では好ましいが、パイプの背面側に突設した取付部を、取付具の挟着片で弾発的に挟持する構造であるため、パイプの支持力が弱く、例えば、高重量のパイプなどは支持できないという問題に加え、風雨等に晒されるパイプに外的な荷重を受けると、パイプががたついたり、外れたりする危険があった。
【０００７】
又、施工時においては、壁面等に予め複数の取付具を固定したうえで、該取付具の先端に設けた挟着片にパイプの取付部を弾発的に挟持していくのであるが、壁面等に固定された前記取付具の位置が少しでもズレていると、前記パイプの取付部を前記挟着片に挟着することができず、施工が困難であるという問題もあった。
【０００８】
本発明は、かかる課題を解決することを目的とするもので、高重量のパイプなどでも安全、確実に支持することができ、しかも施工性の良いパイプ取付構造を提供する。
【課題を解決するための手段】
【０００９】
請求項１に係るパイプ取付構造は、施工後のパイプに外被されないように、パイプの背面側の外周面から外方に向けて突設された取付部を、２枚の挟着片にて挟着固定すると共に、壁面等に固定された固定具の支持片に取付けされる取付板を前記挟着片の一方より延設してパイプ取付具を構成し、前記取付板を設けた一方の挟着片を、固定された固定挟着片とし、他方の挟着片を、前記固定挟着片に向けて枢動可能な可動挟着片とし、前記可動挟着片を操作体により可動させて前記取付部を２枚の挟着片にて挟着固定すると共に、前記パイプ取付具の取付板を前記固定具の支持片に締結具にて取付けてなり、前記固定挟着片及び可動挟着片の各基端には、後方に向けて互いに狭まり、外面が鋸歯状に形成された傾斜面を形成しており、前記操作体は、前記固定挟着片側に外嵌され、前記可動挟着片を挿嵌させてから前記挟着片の先端側にスライドさせることで、前記可動挟着片を前記固定挟着片に対して把持位置に固定する操作環よりなることを特徴とする。
【００１０】
請求項２に係るパイプ取付構造は、施工後のパイプに外被されないように、パイプの背面側の外周面から外方に向けて突設された取付部を、２枚の挟着片にて挟着固定すると共に、前記挟着片の一方には、壁面等に固定される固定具の支持片を一体形成してパイプ取付具を構成し、前記固定具の支持片に設けた一方の挟着片を、固定された固定挟着片とし、他方の挟着片を、前記固定挟着片に向けて枢動可能な可動挟着片とし、前記可動挟着片を操作体により可動させて前記取付部を２枚の挟着片にて挟着固定すると共に、前記固定具を壁面等に固定してなり、前記固定挟着片及び可動挟着片の各基端には、後方に向けて互いに狭まり、外面が鋸歯状に形成された傾斜面を形成しており、前記操作体は、前記固定挟着片側に外嵌され、前記可動挟着片を挿嵌させてから前記挟着片の先端側にスライドさせることで、前記可動挟着片を前記固定挟着片に対して把持位置に固定する操作環よりなることを特徴とする。
【００１１】
（欠番）
【００１２】
（欠番）
【発明の効果】
【００１３】
本発明によれば、次のような効果がある。
【００１４】
請求項１に係るパイプ取付構造によれば、壁面等に固定される固定具に取付けたパイプ取付具の２枚の挟着片にて、パイプの取付部を挟着すると共に、前記２枚の挟着片の他方の可動挟着片を操作体により可動させて前記取付部を挟着固定する構造であるため、壁面等に固定された前記パイプ取付具の位置が多少ズレていても、前記取付部を挟着する２枚の挟着片の許容範囲内であれば、パイプの取付部を前記２枚の挟着片にて挟着固定でき、施工を容易に行うことができる。
【００１５】
又、パイプの取付部とパイプ取付具の２枚の挟着片とは、操作体を可動させて挟着固定されているので、施工後のパイプががたついたり、外れたりする危険を確実に防止できる。
【００１６】
更に、パイプを仮支持した後、パイプ取付具の取付板と前記固定具の支持片とを締結具にて締結する構造にしているため、パイプの位置調整を容易に行うことができるうえ、パイプを確実に支持することができる。
【００１７】
そのため、高重量のパイプなどでも安全、確実に支持することができ、施工後のパイプががたついたり、外れたりする危険も確実に防止できる。
【００１８】
請求項２に係るパイプ取付構造によれば、２枚の挟着片の一方には、壁面等に固定される固定具の支持片が一体形成されているので、請求項１と同様の効果が得られると共に、固定具を壁面等に固定するだけで、同時にパイプ取付具を固定でき、部品点数を減少してコストダウンを図ることができるうえ、施工を更に容易にできる。
【００１９】
（欠番）
【００２０】
さらに、請求項１、２に係るパイプ取付構造によれば、操作体が、固定挟着片側に外嵌され、可動挟着片を挿嵌させてから該可動挟着片の先端側にスライドさせることで、前記可動挟着片を前記固定挟着片に対して把持位置に固定する操作環であるため、該操作環をスライド操作するだけで、パイプの取付部を２枚の挟着片で容易に固定できる。
【発明を実施するための最良の形態】
【００２１】
以下、本発明に係るパイプ取付構造を図面とともに説明する。
【実施例１】
【００２２】
図１は、本発明に係るパイプ取付構造Ａの参考例を示した分解斜視図であり、図２（ａ）、（ｂ）は、図１で示したパイプ取付構造Ａの施工状態を上方から見た動作図である。
【００２３】
このパイプ取付構造Ａは、パイプ１０、パイプ取付具２０、操作体３０、固定具４０、締結具５０を備えてなる。
【００２４】
パイプ１０は、外周面１１の背面側から外方に向けて突設された取付部１２を長手方向に形成している。
【００２５】
本参考例のパイプ１０は、円筒状に形成すると共に、外周面１１の背面側に断面三角状の取付部１２を一体形成したものを例示しているが、パイプ１０の形状としては、図例のものに限定されず、例えば、四角筒状に形成したもの、三角筒状に形成したものでも構わない。
【００２６】
また、取付部１２の形状についても図例のものに限定されず、例えば、断面四角形状のものや、多角形状に形成することも可能であり、この取付部１２をパイプ取付具２０の２枚の挟着片にて挟着固定できる形状であれば採用できる。
【００２７】
パイプ取付具２０は、パイプ１０の取付部１２を挟着固定する２枚の挟着片２１を先端に設け、これら２枚の挟着片２１の一方には、壁面Ｈ等に固定される固定具４０の支持片４２に取付けされる板状の取付板２２を延設している。
【００２８】
ここで、取付板２２を設けた一方の挟着片２１を固定挟着片２０ａとし、他方の挟着片２１を固定挟着片２０ａに向けて枢動可能な可動挟着片２０ｂとしている。
【００２９】
具体的には、固定挟着片２０ａの挟着片２１と取付板２２との境界部分の上、下には、可動挟着片２０ｂに向けて軸孔２４ａを備えた軸受部２４を突設すると共に、この軸受部２４に重合される軸孔２５ａを備えた被軸受部２５を可動挟着片２０ｂに形成し、これら軸受部２４の軸孔２４ａ及び被軸受部２５の軸孔２５ａを重合して、両者に軸部材２６を貫通して該軸部材２６の先端をカシメ止めすることで、この軸部材２６を回転中心にして可動挟着片２０ｂを固定挟着片２０ａに向けて枢動可能にしている。
【００３０】
又、可動挟着片２０ｂの後端は、これを内側に折返して操作体３０の受け部２７を形成すると共に、取付板２２には、受け部２７に対応する位置に操作体３０が螺合されるネジ孔２８を形成している。
【００３１】
又、取付板２２には、前、後に向けて長孔２２ａを開設し、壁面Ｈ等に固定される固定具４０の支持片４２に対して、パイプ取付具２０が前、後方向に出具合を調整できるようにしている。
【００３２】
本参考例の操作体３０は、固定挟着片２０ａ側に螺入されて、可動挟着片２０ｂの枢動を禁止する螺子であり、この操作体３０を取付板２２のネジ孔２８の外方から螺入すれば、前記螺子の先端が可動挟着片２０ｂの受け部２７に当接すると共に、更に操作体３０を捩じ込めば、前記螺子の先端が受け部２７を押圧して可動挟着片２０ｂの挟着片２１が、軸部材２６を回転中心にして固定挟着片２０ａに向けて枢動するようにしている。
【００３３】
なお、本参考例の操作体３０は、螺子であるが、これに限定されるものではなく、要は、可動挟着片２０ｂの受け部２７を押圧して可動挟着片２０ｂの挟着片２１を固定挟着片２０ａに向けて枢動させたうえで、可動挟着片２０ｂの枢動を禁止できるものであれば、例えば、ボルト等であっても構わない。
【００３４】
固定具４０は、壁面Ｈ等に固定するための固定部４１を設け、この固定部４１の前方に向けて板状の支持片４２を一体形成している。
【００３５】
本参考例の固定部４１は、壁面Ｈ等に埋設して固定されるボルト軸を例示しているが、この固定部４１は、固定具４０を壁面Ｈ等に確実に固定できるものであれば良く、例えば、ボルト、ナットや、ネジ等による固定手段、釘等による固定手段であっても構わない。
【００３６】
支持片４２には、取付板２２の長孔２２ａに重合される長孔４３を前、後に向けて開設しており、壁面Ｈ等に固定される固定具４０の支持片４２に対して、パイプ取付具２０が前、後方向に十分移動可能にして出具合を調整できるようにしている。
【００３７】
締結具５０は、ボルト５１及びナット５２で構成しているが、パイプ取付具２０の取付板２２及び固定具４０の支持片４２を固着可能なものであれば、本実施例で示したボルト５１、ナット５２以外の構成による締結具５０を採用することは可能である。
【００３８】
なお、本参考例では、１組のボルト５１とナット５２を例示しているが、その数量は特に限定されず、例えば、複数組のボルト５１とナット５２で締結すれば、パイプ取付具Ａの振れを防止できるため好ましい。
【００３９】
以上のように構成した本発明に係るパイプ取付構造Ａは、以下の要領で施工する。
【００４０】
先ず、壁面Ｈ等の適所にアンカー（不図示）等を埋設し、このアンカー（不図示）等に固定具４０の固定部４１を螺合して、複数の固定具４０を所定間隔で壁面Ｈ等に固定する。
【００４１】
次に、この固定した固定具４０の支持片４２の一側面に、パイプ取付具２０の取付板２２を添接し、両者の長孔２２ａ、４３を重合させたうえで、これら長孔２２ａ、４３の一方から締結具５０を軽く締め付けて（仮締めして）、パイプ取付具２０を仮固定する。
【００４２】
次に、この仮固定したパイプ取付具２０の２枚の挟着片２１を開放状態にして、パイプ１０の取付部１２を差し込んで内嵌すると共に、操作体３０を取付板２２のネジ孔２８の外方から螺合すれば、前記の通り、操作体３０の先端が可動挟着片２０ｂの受け部２７を押圧し、可動挟着片２０ｂの挟着片２１が、軸部材２６を回転中心にして固定挟着片２０ａに向けて可動され、２枚の挟着片２１でパイプ１０の取付部１２を挟着固定する〔（図２（ａ）参照。〕。
【００４３】
最後に、パイプ１０の出具合を所望の位置に調節した後、仮締めしていた締結具５０のナット５２を確実に締付けて（本締めして）施工を完了するのである〔（図２（ｂ）参照。〕。
【００４４】
このように、本参考例に係るパイプ取付構造Ａによれば、壁面Ｈ等に固定される固定具４０に取付けたパイプ取付具２０の２枚の挟着片２１にて、パイプ１０の取付部１２を挟着すると共に、２枚の挟着片２１の可動挟着片２０ｂを操作体３０により可動させて取付部１２を挟着固定する構造であるため、壁面Ｈ等に固定されたパイプ取付具２０の位置が多少ズレていても、取付部１２を挟着する２枚の挟着片２１の許容範囲内であれば、パイプ１０の取付部１２を２枚の挟着片２１にて挟着固定でき、施工を容易に行うことができる。
【００４５】
又、パイプ１０の取付部１２とパイプ取付具２０の２枚の挟着片２１とは、操作体３０を可動させて挟着固定されているので、施工後のパイプ１０ががたついたり、外れたりする危険を確実に防止できる。
【００４６】
更に、パイプ１０を仮支持した後、パイプ取付具２０の取付板２２と固定具４０の支持片４２とを締結具５０にて締結する構造にしているため、パイプ１０の位置調整を容易に行うことができるうえ、パイプ１０を確実に支持することができる。
【００４７】
そのため、高重量のパイプ１０などでも安全、確実に支持することができ、施工後のパイプ１０ががたついたり、外れたりする危険も確実に防止できる。
【実施例２】
【００４８】
図３は、本発明に係るパイプ取付構造Ａの他の参考例を示した要部の斜視図である。
【００４９】
ここで、図１、２と共通する部材には、同一の符号を付して重複する説明を省略し、以下では、本参考例の特徴についてのみ説明する。
【００５０】
このパイプ取付構造Ａのパイプ取付具２０では、２枚の挟着片２１の一方に、壁面Ｈ等に固定される固定具４０の支持片４２を一体形成した点が実施例１（参考例）と相違するものである。
【００５１】
そのため、このパイプ取付構造Ａによれば、図１、図２に示した参考例と同様の効果が得られると共に、固定具４０を壁面Ｈ等に固定するだけで、同時にパイプ取付具２０を固定でき、部品点数を減少してコストダウンを図ることができるうえ、施工を更に容易にできる。
【実施例３】
【００５２】
図４（ａ）は、本発明に係るパイプ取付構造Ａの実施例を示した要部の斜視図であり、図４（ｂ）は、図４（ａ）で示したパイプ取付具２０の施工動作を上方から見た概略動作図である。
【００５３】
ここで、上記２参考例に関する図１〜３と共通する部材には、同一の符号を付して重複する説明を省略し、以下では、本実施例の特徴についてのみ説明する。
【００５４】
このパイプ取付構造Ａのパイプ取付具２０では、操作体３０’が、固定挟着片２０ａ側に外嵌され、可動挟着片２０ｂを挿嵌させてから該可動挟着片２０ｂの挟着片２１先端側にスライドさせることで、可動挟着片２０ｂを固定挟着片２０ａに対して把持位置に固定する操作環である点で相違するものである。
【００５５】
具体的には、実施例１、２（参考例）では、可動挟着片２０ｂの挟着片２１が、軸部材２６を回転中心にして固定挟着片２０ａに向けて可動する構造であったのに対し、本実施例の可動挟着片２０ｂは、固定挟着片２０ａ及び可動挟着片２０ｂの基端に、後方に向けて互いに狭まる傾斜面２２ｂを形成し、固定挟着片２０ａ側に外嵌された矩形リング状の操作環である操作体３０’を挟着片側にスライドさせることで、可動挟着片２０ｂを固定挟着片２０ａに対して把持位置に固定する構造にしたものである〔（図４（ａ），（ｂ）参照。〕。
【００５６】
なお、スライドさせた操作体３０’の戻りを防止するため、傾斜面２２ｂの外面を鋸歯状に形成させてある。
【００５７】
そのため、このパイプ取付構造Ａによれば、操作体３０’がスライド可能な操作環であるため、該操作環をスライド操作するだけで、可動挟着片２０ｂを固定挟着片２０ａに対して把持位置に固定して、パイプ１０の取付部１２を２枚の挟着片２１で容易に固定できる。
【図面の簡単な説明】
【００５８】
【図１】本発明に係るパイプ取付構造Ａの参考例を示した分解斜視図である。
【図２】（ａ）、（ｂ）は、図１で示したパイプ取付構造Ａの施工状態を上方から見た動作図である。
【図３】本発明に係るパイプ取付構造Ａの他の参考例を示した要部の斜視図である。
【図４】（ａ）は、本発明に係るパイプ取付構造Ａの実施例を示した要部の斜視図であり、（ｂ）は、図４（ａ）で示したパイプ取付具２０の施工動作を上方から見た概略動作図である。
【符号の説明】
【００５９】
Ａ      パイプ取付構造
Ｈ      壁面
１０    パイプ
１１    外周面
１２    取付部
２０    パイプ取付具
２０ａ  固定挟着片
２０ｂ  可動挟着片
２１    挟着片
２２    取付板
２２ｂ  傾斜面
３０    操作体
４０    固定具
４２    支持片
５０    締結具
【図１】
0004825735.tif 000002
【図２】
0004825735.tif 000003
【図３】
0004825735.tif 000004
【図４】
0004825735.tif 000005